(57)【要約】【課題】  常に画像が鮮明で、維持管理が容易で、かつ構造が簡易で廉価な、ネットワークカメラ等の小型カメラの取付構造を提供する。【解決手段】  水平旋回および垂直旋回が自在の小型カメラ１６を、屋外に設置するための小型カメラ取付構造１０であって、前記屋外の設置場所１１に取付けられ、下部に前記小型カメラ１６を露出した状態で支持する基材１３と、該基材１３の下端周端部に設けられ、前記小型カメラ１６を太陽光から保護する筒状の日除けフード１４と、該フード１４の下端に連設して設けられ、前記小型カメラ１６を風雨から保護する筒状の透明ガード１５と、からなる。【選択図】      図１
2007067928.tif 000002
【特許請求の範囲】
【請求項１】
水平旋回および垂直旋回が自在の小型カメラを、屋外に設置するための小型カメラ取付構造であって、
前記屋外の設置場所に取付けられ、下部に前記小型カメラを露出した状態で支持する基材と、
該基材の下端周端部に設けられ、前記小型カメラを太陽光から保護する筒状の日除けフードと、
該フードの下端に連設して設けられ、前記小型カメラを風雨から保護する筒状の透明ガードと、からなることを特徴とする小型カメラ取付構造。
【請求項２】
前記日除けフードは、下端に向けてテーパー状に拡開するものであることを特徴とする請求項１に記載の小型カメラ取付構造。
【請求項３】
前記屋外の設置場所と前記基材との間に、付属機器を収納するための収納箱を設けたことを特徴とする請求項１又は２に記載の小型カメラ取付構造。
【請求項４】
前記収納箱に対して前記基材の片側をヒンジで結合し、前記基材を開閉自在としたことを特徴とする請求項３に記載の小型カメラ取付構造。
【請求項５】
前記小型カメラを、調整ボルトによって、手動で、前記基材から下方に伸縮自在としたことを特徴とする請求項１乃至４のうちいずれか一つに記載の小型カメラ取付構造。
【請求項６】
前記小型カメラを、調整機構によって、遠隔操作で自動的に、前記基材から下方に伸縮自在としたことを特徴とする請求項１乃至５のうちいずれか一つに記載の小型カメラ取付構造。
【請求項７】
前記小型カメラがネットワークカメラであることを特徴とする請求項１乃至６のうちいずれか一つに記載の小型カメラ取付構造。
【発明の詳細な説明】
【技術分野】
【０００１】
本発明は、例えば、ネットワークカメラとして使用される小型カメラを、屋外に取付けるための小型カメラ取付構造に関するものである。
【背景技術】
【０００２】
近年、インターネットや社内ＬＡＮを利用して、離れた場所の画像をパソコンや携帯電話でリアルタイムで視認するためのネットワークカメラが多くの場所で設置されている。
【０００３】
このうち、屋外に設置されるネットワークカメラ３０は、図４に示すように、ドーム状でプラスチック製の密閉蓋３１で密閉されているため、降雨時には水滴がその密閉蓋３１に付着し、また、雨上がり後には、水滴が原因による汚れが密閉蓋３１に付着するので、画像が見え難いといった問題がある。
また、こうした水滴や汚れにネットワークカメラ３０の焦点が自動的に合う場合があるため、画像が見え難いといった問題がある。
さらには、ネットワークカメラ３０は密閉蓋３１で密閉されているため、内外の温度差により密閉蓋３１の内面やネットワークカメラ３０のレンズが曇り易く、これを防止するためにヒーター３２を内蔵する必要があり、従って、構造が複雑で高価なものになってしまうといった問題もある。
【発明の開示】
【発明が解決しようとする課題】
【０００４】
そこで本発明の目的とするところは、常に画像が鮮明で、維持管理が容易で、かつ構造が簡易で廉価な、ネットワークカメラ等の小型カメラの取付構造を提供することにある。
【課題を解決するための手段】
【０００５】
上記の目的を達成するために、請求項１に係る発明は、水平旋回および垂直旋回が自在の小型カメラ（１６）を、屋外に設置するための小型カメラ取付構造（１０）であって、
前記屋外の設置場所（１１）に取付けられ、下部に前記小型カメラ（１６）を露出した状態で支持する基材（１３）と、該基材（１３）の下端周端部に設けられ、前記小型カメラ（１６）を太陽光から保護する筒状の日除けフード（１４）と、該フード（１４）の下端に連設して設けられ、前記小型カメラ（１６）を風雨から保護する筒状の透明ガード（１５）と、からなることを特徴とする。
【０００６】
また、請求項２に係る発明は、前記日除けフード（１４）は、下端に向けてテーパー状に拡開するものであることを特徴とする。
【０００７】
さらに、請求項３に係る発明は、前記屋外の設置場所（１１）と前記基材（１３）との間に、付属機器を収納するための収納箱（１７）を設けたことを特徴とする。
【０００８】
また、請求項４に係る発明は、前記収納箱（１７）に対して前記基材（１３）の片側をヒンジ（２０）で結合し、前記基材（１３）を開閉自在としたことを特徴とする。
【０００９】
また、請求項５に係る発明は、前記小型カメラ（１６）を、調整ボルト（１８）によって、手動で、前記基材（１３）から下方に伸縮自在としたことを特徴とする。
【００１０】
また、請求項６に係る発明は、前記小型カメラ（１６）を、調整機構（１９）によって、遠隔操作で自動的に、前記基材（１３）から下方に伸縮自在としたことを特徴とする。
【００１１】
また、請求項７に係る発明は、前記小型カメラ（１６）がネットワークカメラであることを特徴とする。
【００１２】
なお、カッコ内の記号は、図面及び後述する発明を実施するための最良の形態に記載された対応要素または対応事項を示す。
【発明の効果】
【００１３】
本発明の請求項１に記載の小型カメラ取付構造によれば、小型カメラを、基材の下部に露出させるとともに、筒状の日除けフードおよび透明ガードを設けたので、従来のように、密閉蓋に水滴や汚れが付着して、画像が見え難くなるといった問題が発生しない。
従って、常に鮮明な画像を提供することができる。
【００１４】
また、小型カメラの焦点が密閉蓋に付着した水滴や汚れに合ってしまうこともないので、焦点調整の頻度も少なくなり、維持管理が容易となる。
さらに、小型カメラは、露出した状態であり、従来のように、密閉蓋によって密閉されていないので、内外の温度差によって発生する曇りを防止するためのヒーターを設ける必要もなく、よって構造が簡易で、廉価なものとすることができる。
【００１５】
なお、小型カメラを、日除けガードによって、太陽光から保護することができ、また、透明ガードによって、風雨から保護することができる。また、透明ガードは、透明であり光線を良好に透過するので、小型カメラの撮影に悪影響を与えることもない。
【００１６】
また、請求項２に記載の発明によれば、日除けフードは、下端に向けてテーパー状に拡開するものであるので、太陽光を効率的に避けることができる。
【００１７】
さらに、請求項３に記載の発明によれば、屋外の設置場所と基材との間に、付属機器を収納するための収納箱を設けたので、例えば、小型カメラのＡＣアダプター、外部機器操作用継電器あるいは端子台などの必要な機材を収納することができる。
【００１８】
またさらに、請求項４に記載の発明によれば、収納箱に対して基材の片側をヒンジで結合し、基材を開閉自在としたので、収納箱に収納した付属機器の交換や修理などを容易に行うことができる。
【００１９】
また、請求項５に記載の発明によれば、小型カメラを、調整ボルトによって、手動で、基材から下方に伸縮自在としたので、初期設置時、小型カメラに風雨があたらない位置にするように微調整することができる。
【００２０】
また、請求項６に記載の発明によれば、小型カメラを、調整機構によって、遠隔操作で自動的に、基材から下方に伸縮自在としたので、天候などの状況に応じて、当該小型カメラの全体およびその一部分を基材から自在に出し入れすることができる。
【００２１】
また、請求項７に記載の発明によれば、小型カメラがネットワークカメラであるので、インターネットや社内ＬＡＮを利用して、離れた場所の画像を、パソコンや携帯電話によってリアルタイムで見ることができる。
【発明を実施するための最良の形態】
【００２２】
図１および図２を参照して、本発明の実施形態に係る小型カメラ取付構造１０について説明する。図１は、小型カメラ取付構造１０を示す正面図であり、図２は、当該取付構造１０において、基材１３を開いた状態を示す正面図である。
【００２３】
この小型カメラ取付構造１０は、水平旋回および垂直旋回が自在の小型カメラ１６を、屋外に設置するためのものであって、基材１３と日除けフード１４と透明ガード１５と収納箱１７とで構成されている。ここで使用する小型カメラ１６は、インターネットや社内ＬＡＮを利用して、離れた場所の画像をパソコンや携帯電話でリアルタイムで視認可能なネットワークカメラであるが、基材１３に対して移動しうる程度の小型のカメラであればよく、特にネットワークカメラに限定されるものではない。
【００２４】
基材１３は、板状であり、屋外の設置場所、より具体的には、垂直に立設された支柱１から水平方向に横設された金属製のアーム片１１の下位に、収納箱１７を介して取付けられている。なお、基材１３と収納箱１７を一体にしてもよい。また、基材１３はその下部に、小型カメラ１６を露出した状態で支持している。
日除けフード１４は、板状の基材１３の下端周端部に、四角筒形状で下端に向けて末広がり状（テーパー状に拡開）に設けられ、小型カメラ１６の周囲を覆って小型カメラ１６を太陽光から保護する。
また、透明ガード１５は、日除けフード１４の下端に連設して設けられ、日除けフード１４と同じく四角筒形状でプラスチック製であり、小型カメラ１６を風雨から保護する。
このように、本実施形態に係る小型カメラ取付構造１０は、従来例で示したものとは異なり、下端が解放されている。
【００２５】
また、収納箱１７は、アーム片１１と基材１３との間に設けられ、小型カメラ１６のＡＣアダプター、外部機器操作用継電器、端子台などの付属機器を収納している。この収納箱１７には、ケーブル引込口１７ａを設け、このケーブル引込口１７ａに、電線管２を挿入している。
【００２６】
また、小型カメラ１６を、調整ボルト１８を介して基材１３に取付け、この調整ボルト１８を手作業で調整することによって、基材１３から下方に伸縮自在としている。すなわち、調整ボルト１８を基材１３の左右前後４ケ所に固定し、その調整ボルト１８間に架設した支持板１８ａに小型カメラ１６を固定し、さらに、各調整ボルト１８に支持板１８ａを挟持する状態で四つの固定ナット１８ｂを螺合している。そして、各固定ナット１８ｂを緩めて支持板１８ａを所望方向へ所望距離移動させた後、当該固定ナット１８ｂを締付けて支持板１８ａを固定し、小型カメラ１６の伸縮位置を決定している。
なお、小型カメラ１６の伸縮によって、収納箱１７内に小型カメラ１６を格納させるようにすることもできる。
また、小型カメラ１６を伸縮させるための、調整ボルトを利用した調整機構は、図１で示した上記のものに限定されるものではない。
【００２７】
以上のように構成された本実施形態に係る小型カメラ取付構造１０は、小型カメラ１６を、基材１３の周端部に、筒状の日除けフード１４および透明ガード１５を設け、下端を解放し、小型カメラ１６を露出した状態で基材１３に取付けているので、水滴や汚れが密閉蓋に付着して、小型カメラ１６の焦点が密閉蓋に付着した水滴や汚れに合って画像が見え難くなることがない。
従って、小型カメラ１６をネットワークカメラとした場合、インターネットや社内ＬＡＮを利用して、離れた場所の画像をパソコンや携帯電話によってリアルタイムで鮮明に提供することができる。
【００２８】
また、小型カメラ１６は、従来のように、密閉蓋によって密閉されていないので、内外の温度差によって発生する曇りを防止するためのヒーターを設ける必要がない。従って、簡易な構造として、低価格で提供することができる。
【００２９】
なお、小型カメラ１６を、日除けガード１４によって、太陽光から保護することができる。また、透明ガード１５によって、風雨から保護することができる。また、透明ガード１５は、光線を良好に透すので、小型カメラ１６の撮影に悪影響を及ぼすことがない。
【００３０】
また、小型カメラ１６を、調整ボルト１８によって、手動で、基材１３から下方に伸縮自在としているので、初期設置時、小型カメラ１６に風雨があたらない位置にするように微調整することが容易に行える。
【００３１】
また、この小型カメラ取付構造１０は、その収納箱１７と基材１３の片側をヒンジ２０で結合し、基材１３を収納箱１７に対して開閉自在としている。これによって、基材１３を開いた状態として、収納箱１７に収納している付属機器を、容易に、交換したり修理することができる。
【００３２】
なお、小型カメラ１６は、手動に代えて、図３に示すように、調整機構１９によって、遠隔操作で自動的に、基材１３から下方に伸縮自在とすることができる。この調整機構１９の構造は限定されないが、例えば、同図に示すように、ラック１９ａとピニオン１９ｂによって構成し、モーター１９ｃでピニオン１９ｂを回転させることによってラック１９ａを昇降動させ、そのラック１９ａに固定した小型カメラ１６を伸縮させることができる。これにより、風雨の強い時は小型カメラ１６を基材１３側に移動して大部分（全部であっても一部分であってもよい）を基材１３側に収納することができる等、必要に応じて、小型カメラ１６を基材１３から自在に出し入れすることができる。
【図面の簡単な説明】
【００３３】
【図１】本発明の実施形態に係る小型カメラ取付構造を示す正面図である。
【図２】図１に示す小型カメラ取付構造において、基材を開いた状態を示す正面図である。
【図３】本発明の実施形態に係る小型カメラ取付構造の他の態様を示す正面図である。
【図４】従来例に係るネットワークカメラの取付構造を示す正面図である。
【符号の説明】
【００３４】
１        支柱
２        電線管
１０        小型カメラ取付構造
１１        アーム片
１３        基材
１４        日除けフード
１５        透明ガード
１６        小型カメラ
１７        収納箱
１７ａ      ケーブル引込口
１８        調整ボルト
１８ａ      支持板
１８ｂ      固定ナット
１９        調整機構
１９ａ      ラック
１９ｂ      ピニオン
１９ｃ      モーター
２０        ヒンジ
３０        ネットワークカメラ
３１        密閉蓋
３２        ヒーター
【図１】
2007067928.tif 000003
【図２】
2007067928.tif 000004
【図３】
2007067928.tif 000005
【図４】
2007067928.tif 000006